(57)【特許請求の範囲】
【請求項１】
点滅発光するＬＥＤが多数個配置された点滅ユニットを、基台上へ円周状に、かつ等間隔に複数個整列配置した点滅警告表示器において、
上記点滅ユニットは、多数個のＬＥＤを植設した基板と、
直線状の溝を備え、ＬＥＤを個別に囲覆して当該ＬＥＤからの光を集光し及び上記直線状の溝によって規定される方向に拡散するレンズとを有し、
上記基板上にはレンズの回転装着方向に対応する複数の取付け孔が当該ＬＥＤを中心に円周状となるように等間隔に穿設され、
レンズには上記取付け孔に嵌める突起を設け、
他の点滅ユニット上のレンズと拡散する方向が揃うよう当該取付け孔に対してレンズの回転装着方向が選択でき、
前記ＬＥＤを中心に円周状となるよう基板上に穿設された孔の数は、基台上へ円周状に複数個整列配置された点滅ユニットの数と同数であることを特徴とする点滅警告表示器。
【請求項２】
上記点滅ユニット上のＬＥＤ数を基台の中心側から外縁側に向かって段階的に増加させて見かけ上の照射面積を広げるとともに、隣り合う点滅ユニットが交互に点滅を繰り返すようにＬＥＤの点滅を制御する制御基板を設けたことを特徴とする請求項１記載の点滅警告表示器。
【発明の詳細な説明】
【０００１】
【発明の属する技術分野】
本発明は、道路工事現場等の道路上に交通規制を必要とする場所において、通行者や通行車両への注意喚起をするために使用される点滅警告表示器に関するものである。
【０００２】
【従来の技術】
これら点滅警告表示器は、通行する自動車の運転者等の看者に対して通行先に注意を払わなければならないことを警告するため設置されるものであり、それ故に看者への視認性を向上させて警告をより早く看者に気付かせる工夫が求められている。
【０００３】
上記従来の点滅警告表示器について、電球の交換を必要とせず、長期間にわたって使用できるＬＥＤを光源として採用したものが市場に提供されているのは周知である。図６に示す構成は実用新案出願公告平成７年第４９６８３号公報の構成を示すものである。基台７１は前方へ立上がる側壁７４と中央に突出部７２が形成され、それより形成される環状の底部７３には背面に多数の四角錐状の凹凸が形成（ダイヤカット）された円型の光ゼネレータ７５、・・・が装着されている。該光ゼネレータ７５の裏面側には環状かつ放射状に穿設した１２個の小孔に発光ダイオード（以後ＬＥＤと称す）７６、・・・が挿入固定されている。該ＬＥＤ７６より放射された光線の一部はそのまま前方に直進し、残部は該光ゼネレータ７５の内部で乱反射及び屈折されて前方に照射され、複雑で変化に富んだ光線が照射される。
【０００４】
上記記載の従来例について、点滅警告表示器中における発光部位は光源の該ＬＥＤ７６であるが、照射する部位は該ＬＥＤ７６と、該ＬＥＤ７６を装着しその発光を乱反射、屈折する該光ゼネレータ７５である。該光ゼネレータ７５の面積について、その直径は該基台７１上の環状を形成する底部の幅を最大とする。
【０００５】
該光ゼネレータ７５は円型であるため、照射光の最大部は該ゼネレータ７５の直径を示す中心ライン上にあり、上記のように環状に配置された場合、隣合う光ゼネレータ同士の間を見ると、該光ゼネレータ７５の中心を結ぶライン上では間隔が狭く、しかしながらそのラインから該基台７１外周部に向かうに連れて光ゼネレータ同士の間隔は広がり、外周部では最大となる。これより点滅警告表示器として光を照射する部分は、該光ゼネレータ７５の中心を通るラインを最大とし、そのラインより外周部に向かって光を照射しない部分が多くできる。照射光は該光ゼネレータ７５の中心を結ぶ円周ラインを最大とするが、それより外周側に向かって弱くなり、結果として見掛け上の照射面積は基台大きさに対して小さいものであった。
【０００６】
さらに該光ゼネレータ７５の照射面全面から光を照射させるためには相当のＬＥＤが必要となり、ＬＥＤを多量に使用する必要が生じてしまい、点滅警告表示器を高価にする要因の一つとされてきた。
【０００７】
【発明が解決しようとする課題】
そこで本発明の目的は、ＬＥＤ光源を利用した点滅警告表示器を構成するにあたって、簡単な構成で、且つ照射面の大きい点滅警告表示器を提供し、看者への視認性の向上に努めたものである。
【０００８】
【課題を解決するための手段】
上記の目的を達成するための請求項１記載の点滅警告表示器は、点滅発光するＬＥＤが多数個配置された点滅ユニットを、基台上へ円周状に、かつ等間隔に複数個整列配置したものであり、上記点滅ユニットは、多数個のＬＥＤを植設した基板と、直線状の溝を備えＬＥＤを個別に囲覆して当該ＬＥＤからの光を集光し及び上記直線状の溝によって規定される方向に拡散するレンズとを有し、上記基板上にはレンズの回転装着方向に対応する複数の取付け孔が当該ＬＥＤを中心に円周状となるように等間隔に穿設され、レンズには上記取付け孔に嵌める突起を設け、他の点滅ユニット上のレンズと拡散する方向が揃うよう当該取付け孔に対してレンズの回転装着方向が選択でき、前記ＬＥＤを中心に円周状となるよう基板上に穿設された孔の数は、基台上へ円周状に複数個整列配置された点滅ユニットの数と同数であることを特徴とする。
【０００９】
次に請求項２記載の点滅警告表示器は、請求項１記載の構成に加え、上記点滅ユニット上のＬＥＤ数を基台の中心側から外縁側に向かって段階的に増加させて見かけ上の照射面積を広げるとともに、隣り合う点滅ユニットが交互に点滅を繰り返すようにＬＥＤの点滅を制御する制御基板を設けたことを特徴とする。
【００１０】
【発明の実施の形態】
本発明の実施形態を図面記載の実施例に基づいて説明する。図１は、本発明に係る点滅警告表示器の正面図、図２は図１記載の点滅警告表示器Ａ−Ａ断面拡大図、図３は点滅ユニットの断面拡大図（図１記載点滅警告表示器Ｂ−Ｂ断面図）、図４はＬＥＤ基板の平面図である。図５（ａ）、（ｂ）は点滅警告表示器の動作図である。
【００１１】
１は基台である。基台１は合成樹脂材料で成形された円形形状を呈し、その断面は略「Ｗ」字状に形成される。基台１には中央突出部、側壁、折り曲げ部、底部、配線収納部を設け、それぞれが一体的に形成される。中央突出部１１は基台１の中央に配置し、前方に向かって円錐台状に突出した部分を指す。点滅警告表示器が前方に転倒、落下しても先に該中央突出部１１が衝突することで、窪んだ位置にある後述の点滅ユニット２に対し損傷を抑える役割をもつ。
【００１２】
側壁１３は該基台１の外周部に配置し、前方に向かって立設した部分を指す。点滅警告表示器が左右、下方に転倒、落下しても先に側壁１３が衝突することで、内側にある後述の点滅ユニット２に対し損傷を抑える役割をもつ。折り曲げ部１４は該側壁１３の上縁から後方に折り返す形状を呈する部分を指す。折り曲げ部１４は点滅警告表示器の左右、下方への転倒、落下による点滅ユニット２の損傷を緩和するとともに、基台１を持ち運ぶ際の取っ手としても役割をもつ。
【００１３】
底部１２は該基台１上の該中央突出部１１と該側壁１３との間を指す。該底部１２は平面円周状を形成する。該底部１２には点滅ユニット２が載置される。該底部１２の外周側には、バックパネル５２と取り付けるために等間隔に孔が穿設されている。
【００１４】
配線収納部１５は該底部１２上に配置し、該中央突出部１１と点滅ユニット２との間を直線上に前方に向かって突出した部分である。該配線収納部１５は、該中央突出部１１内に配置した制御基板と点滅ユニット２内のＬＥＤ基板６１との信号線を収納する役割をもつ。
【００１５】
２は点滅ユニットである。点滅ユニット２は基台１の底部１２上に複数個配置されている。該点滅ユニット２は、多数個のＬＥＤを植設した基板と、個々のＬＥＤ上を囲覆して当該ＬＥＤ光を集光、及び特定方向へ拡散するレンズとから成り、後述のケース２１に収納されている。
【００１６】
２１はケースであり、略三角錐台を形成したものであって、その上面にはレンズ３を内部から挿着するための孔が穿設されている。このケース２１は、基台１上を円周状に整列配置されており、三角錐台の１頂点を基台１の中心に向け、対角となる辺を基台１の外縁側に置いた構成を有する。なお、ケース２１は底部１２上へ一体的に形成しても別体としてもよい。
【００１７】
３はレンズである。レンズ３はケース２１の内部に配置される。該レンズ３はケース２１の表面に設けた孔に挿着し、そのときレンズ３の上部はケース２１の表面を突出している。レンズ３は基台１上の中心側から外縁側にかけて段階的に増設するよう、ケース２１上に配置される。これにより、点滅警告表示器から発する照射光は基台１の外縁側まで広がり、見かけ上の照射面積を大きくすることができる。
【００１８】
４は反射シートであり、該中央突出部１１上に配置される。該反射シート４はガラスビーズなどで構成されたシート状を呈し、白色などの光反射し易い色を有している。該反射シート４は該中央突出部１１の前方平面と同等、或いは若干小さい円形状の大きさを形成し、該中央突出部１１の前方に接着貼設される。該反射シート４の厚みを考慮して該中央突出部１１の前方平面を凹状に形成することで、該反射シート４と該中央突出部１１との接着面は直接外部に触れることなく、接着力を維持し続ける。
【００１９】
５１は支持ポールである。支持ポール５１は下方に三脚を有した鋼管で、該基台１の背面中央に配置され、点滅警告表示器を道路上に設置し、支持する役割をもつ。
【００２０】
続いて図２より点滅警告表示器後方の各部について説明する。
５２はバックパネルであり、該基台１の背面に配置する。該バックパネル５２は該基台１と同等の大きさをもった平面形状の鋼板で、該基台１を支持して変形を抑えるとともに、該基台１内部に収納された各基板などを保護する役割をもつ。該基台１に取り付けるため、該バックパネル５２の外周側は等間隔に孔が穿設されている。また該バックパネル５２の中央付近にも、複数の取付け孔が穿設されている。
【００２１】
５３はシャシであり、該バックパネル５２の前面中央に配置される。該シャシ５３は略平面長方形状を呈し、制御基板を前方に配置固定するため引掛片を設けている。また、該シャシ５３の中央にはナット５６が溶接固定されている。該シャシ５３の外周には、背面に該バックパネル５２と取り付けるための孔が穿設されている。
５４はパイプである。パイプ５４は該バックパネル５２の背面中心軸上に配置した鋼管である。該パイプ５４は該バックパネル５２を挟んでシャシ５３と取着固定するため、複数の貫通孔が穿設されている。
５５はボルトである。ボルト５５を該パイプ５４の後方から挿入し、該シャシ５３上のナット５６と螺合して該バックパネル５２を支持する。
【００２２】
続いて図３より点滅ユニット２の各部構造について説明する。レンズ３は内部にＬＥＤ６２を収納しており、該ＬＥＤ６２からの発光を集光、及び特定方向へ拡散する役割をもつ。このレンズ３は有色透明体の材料で形成されており、円筒状を呈する筒状部３３の上方に半球状の集光レンズ３１が形成されて全体を成す。筒状部３３の下方には半円状に切り欠いた切欠き３６が対称に設けている。レンズ３を点滅警告表示器に配置する場合、切欠き３６を上下の方向となるよう設けることで、レンズ３内部に侵入する水を下方に落とす効果をもたらす。水がレンズ３の内部に溜まると、延いてはＬＥＤ基板６１やＬＥＤ６２を劣化させるため、切欠き３６を設ければ水が落ちることから、劣化を防止する役割をもつ。
【００２３】
当接部３５は該筒状部３３上方の円周上を外側に向かって凸状に形成した部分を指す。該当接部３５は、該点滅ユニットの内部から該レンズ３を挿入する際の支持の役割をもつ。
引掛片３４は該筒状部３３の下方に一体的に形成された部分で、該レンズ３の中心軸に対して対称に配置される。該引掛片３４は、該筒状部３３の下方から垂直に下ろした突出片を呈し、その端は外側に向けて凸型形状に形成されている。該引掛片３４はＬＥＤ基板６１に穿設した取付け孔６３に挿着することで、該レンズ３を該ＬＥＤ基板６１に固定する役割をもつ。
【００２４】
集光レンズ３１は該筒状部３３の上方に配置される。該集光レンズ３１は半球状を呈しており、該レンズ３内部に配置したＬＥＤ６２の発光を受けて該集光レンズ３１の中心軸上にＬＥＤ光が集光する。
拡散レンズ３２は、該集光レンズ３１の内部に形成された部分を表す。該拡散レンズ３２は下方に向かって直線状に呈した突起が連なって形成され、突起間の直線状の溝は半球状に形成されている。該拡散レンズ３２は、該レンズ３内部に配置したＬＥＤ６２の発光を受けると、該拡散レンズ３２に設けた直線状の溝により、その直線方向に対して垂直に拡散照射する。
【００２５】
従って、ＬＥＤ６２からの光源光は、レンズ３を通ると集光レンズ３１及び拡散レンズ３２の働きにより、特定の方向へ拡散照射する光と、レンズ３の中心軸上に集光した高光度の光となって周囲に照射する。
【００２６】
２２は螺子であり、該点滅ユニット２の中心部に配置される。２３はスペーサであり、該点滅ユニット２の中心部に配置される。該スペーサ２３は円筒状を呈したもので、両端には雌螺子切り処理を施している。該スペーサ２３を該ケース２１とＬＥＤ基板６１との間に設置し、該スペーサ２３の両側から螺子２２を螺合して該ＬＥＤ基板６１を該ケース２１に装着固定させる。
【００２７】
６１はＬＥＤ基板であり、係る構造については図３と図４より説明する。ＬＥＤ基板６１は点滅ユニット２にあるケース２１の内部に収納されている。該ＬＥＤ基板６１は略三角形状を呈したプリント基板で、複数のＬＥＤ６２を植設している。各ＬＥＤ６２の周辺には、レンズ３を挿着固定するための取付け孔６３が、当該ＬＥＤ６２を中心に円周状となるよう等間隔に複数穿設されている。
【００２８】
続いてレンズ３とＬＥＤ基板６１との組合せについて説明する。レンズ３の引掛片３４は、筒状部３３の円周上において対称的に形成しており、図３からは２箇所存在していることが確認できる。一方、引掛片３４に対応する取付け孔６３は、ＬＥＤ６２を中心に円周状となるよう等間隔に設けており、図４からは８箇所存在していることが確認できる。この取付け孔６３の描く円周の径を引掛片３４の間隔に合わせれば、図３に描くような取付けが実現できる。このとき、引掛片３４は数ある取付け孔６３の中から挿着する対象を選択することができ、図４においては角度を変えることで４箇所の挿着位置があることとなる。即ち、レンズ３はＬＥＤ基板６１上に挿着するときの角度を選択できる。点滅ユニット２は夫々所定の角度となって基台１上に配置しているが、上記の構造により、点滅ユニット２の取付け角度に関わらず、拡散レンズ３２の形成する直線状の溝が点滅警告表示器上に対して上下方向に向くようレンズ３を挿着することができる。
【００２９】
前述のとうり、ＬＥＤ６２からの光源光は、レンズ３によって前方に直進照射するとともに、該レンズ３の有する直線状の溝により特定方向に拡散する。点滅警告表示器上に配置したレンズ３を、直線状の溝が上下方向となるよう統一することで、点滅警告表示器上からは前方のみならず、左右の水平方向に向かって拡散する照射光をも生み出すこととなる。そのため、左右方向における視認角度を拡張し、視認性の向上をもたらすことができる。
【００３０】
続いて図５より点滅警告表示器の点滅動作について説明する。図中の斜線部は照射部位を示す。上記点滅ユニット２は、中央突出部に収納された制御基板（図示せず）により、点滅ユニット単位で照射、点滅を行なう。その動作は、隣合う点滅ユニットが交互に点滅を繰り返すもので、図５（ａ）に示した照射部位が点灯した後、消灯すると同時に図５（ｂ）に示す照射部位が点灯する。そして、図５（ｂ）に示した照射部位が消灯すると同時に図５（ａ）の照射部位が点灯する。この図５（ａ）及び（ｂ）に示した発光パターンを交互に繰り返せば、照射光はあたかも基台１上を右回りに回転しているように見え、また、左回りにも回転しているように見える。そのため、看者からは点滅警告表示器の照射光が一連の照射部位を左回転、或いは右回転しているように錯覚して視認され、これにより照射パターンの単調さをなくし、看者への注意喚起を引き付けることができる。
【００３１】
本発明の実施例の説明は以上のとおりであるが、上記の実施例に限らず本発明の要旨を変更しない範囲で、様々な設計変更を可能とするものである。
本発明によれば、点滅ユニットの形状は略三角形を呈しているが、他に台形状や扇形状など、基台の中心側から外縁側にかけて光源部数を段階的の増設できる主旨の形状ならよい。また点滅照射の発光パターンも上記の他に基台上に配置した全てのＬＥＤを同時に発光させるなど、所望の発光パターンにできる。
【００３２】
【発明の効果】
本発明によれば、点滅発光するＬＥＤが多数個配置された点滅ユニットを複数個、基台上へ円周状かつ等間隔に整列配置した点滅警告表示器において、個々のＬＥＤに設けたレンズに直線上の溝を形成することで、ＬＥＤからの光の特定方向へ拡散照射ができる。基板上にはレンズの装着のための取付け孔がＬＥＤを中心に円周状となるよう等間隔かつ点滅ユニットの数と同数に穿設されていることから、レンズを点滅ユニットの取付け角度に応じて装着するときの回転装着方向を選択できる。このことから、すべてのレンズに対して拡散方向が同一となるよう装着することができ、点滅警告表示器としては左右方向に対して広い視認角度を得ることができる。
また、点滅ユニット上のＬＥＤ数を基台の中心側から外縁側に向かって段階的に増加させることにより、光源からの照射光は基台上の外周まで広がり、見かけ上の照射面積を大きくすることができる。これに隣り合う点滅ユニットが交互に点滅を繰り返すようにＬＥＤの点滅を繰り返えせば、看者を引き付ける視認をもたらし、通行者や通行車両への注意喚起において一層の効果を与えることができる。
【００３３】
【図面の簡単な説明】
【図１】本発明の１実施例に係る点滅警告表示器の正面図である。
【図２】点滅警告表示器の断面拡大図である（図１ＡーＡ断面拡大図）。
【図３】点滅警告表示器点滅ユニットの断面拡大図である（図１ＢーＢ断面拡大図）。
【図４】点滅警告表示器ＬＥＤ基板の平面図である。
【図５】点滅警告表示器の動作図である。
【図６】従来の点滅警告表示器の正面図である。
【符号の説明】
１      基台
２      点滅ユニット
３      レンズ
３１    集光レンズ
３２    拡散レンズ
４      反射シート
５１    支持ポール
５２    バックパネル
６１    ＬＥＤ基板
６２    ＬＥＤ
６３    取付け孔
【図１】
0003604240.tif 000002
【図２】
0003604240.tif 000003
【図３】
0003604240.tif 000004
【図４】
0003604240.tif 000005
【図５】
0003604240.tif 000006
【図６】
0003604240.tif 000007